(57)【要約】    【課題】  Ｌ型にレイアウトされたシステムキッチンに備えられてコーナー部を形成し、収納性を向上させることができるコーナーキャビネットを提供する。    【解決手段】  コーナーキャビネットを、システムキッチンのコーナー部を形成する固定キャビネット１１と、該固定キャビネット１１から第１ユニット２方向へ突出すると共に分割された可動キャビネット１２とで構成する。可動キャビネット１２を第１ユニット２の前面側へ移動可能とし、さらに、固定キャビネット１１における可動キャビネット１２の側面と対接する面に開口部１１ａ′及び扉３０を配設する。また、固定キャビネット１１に真正のコーナー部１１ａから第２ユニット３方向へ延びる延設部１１ｂを設け、該延設部１１ｂの第２ユニット３の前面と平行な面に開口部及び扉３１を配設する。【選択図】    図６
2005176967.tif 000002
【特許請求の範囲】
【請求項１】
直方体形状の第１、第２のユニットを平面視でＬ型に接続してシステムキッチンを形成するためのコーナーキャビネットであって、上記システムキッチンのコーナー部を形成する部分と該部分から第１のユニット方向へ突出する部分とを有すると共に、該突出部分とコーナー部分とは分割されており、かつ、突出部分は該突出部分が隣接する第１のユニットの前面側へ移動可能とされ、さらに、上記コーナー部分における突出部分の側面と対接する面に、該コーナー部分内への物品の出し入れ用の開口部が設けられていることを特徴とするコーナーキャビネット。
【請求項２】
コーナー部分は第２のユニット方向へ所定量延設されており、かつ、該延設部における上記第２のユニットの前面と平行な面に、コーナー部分内への物品の出し入れ用の補助開口部が設けられていることを特徴とする請求項１に記載のコーナーキャビネット。
【請求項３】
突出部分は、キャスタ付きのキャビネットで構成されていると共に該キャビネットを常置可能とする固定手段を有していることを特徴とする請求項１または請求項２に記載のコーナーキャビネット。
【請求項４】
突出部分の下方は、前面と底面とが開口したワゴン収納空間とされていることを特徴とする請求項１から請求項３のいずれかに記載のコーナーキャビネット。
【発明の詳細な説明】
【技術分野】
【０００１】
本発明は、Ｌ型システムキッチンのコーナー部を形成するコーナーキャビネットに関し、システムキッチンの技術分野に属する。
【背景技術】
【０００２】
従来、複数個のキャビネットとこれらのキャビネットの上部に載置される天板とを有し、平面視でＬ型にレイアウトされたシステムキッチンがある。このようなシステムキッチンでは、Ｉ型にレイアウトされたシステムキッチンに比較して作業動線が短縮されるので使用者の使い勝手はよいが、コーナー部に物品の出し入れが困難なデッドスペースが生じることがあり、収納性の点で問題がある。
【０００３】
このような問題を解決するシステムキッチンとしては、例えば特許文献１に開示されているものがある。すなわち、図７に示すように、この特許文献１に開示されたシステムキッチンＡは、シンクやガス調理器等が設けられた直方体形状のメインユニットＢに一端部Ｃ１がコーナー部を形成する高さの高い直方体形状のサブユニットＣが接続されてＬ型に構成されている。このサブユニットＣは正面視で門型とされて、中央部下方に空間Ｃ２が設けられている。そして、上記コーナー部を構成する端部Ｃ１への物品の出し入れ口Ｃ３がメインユニットＢの前面Ｂ１と平行に開口しており、該端部Ｃ１内へ上記空間Ｃ２を介して物品を出し入れするようになっている。なお、この空間Ｃ２は、上記端部Ｃ１へ物品を出し入れしないときに、ワゴンＤの収納空間として利用される。
【０００４】
これにより、サブユニットＣの端部Ｃ１内へ物品を出し入れすることができ、収納性が向上するようになっている。
【０００５】
【特許文献１】特開２０００−３０８５３４号公報
【発明の開示】
【発明が解決しようとする課題】
【０００６】
ところで、特許文献１では、サブユニットＣの中央部下方の空間Ｃ２は、ワゴンＤの収納は可能であるが、戸棚や引き出し等の本来の収納空間としては利用されていなく、この点で、システムキッチンＡ全体としての収納性には依然課題が残る。
【０００７】
そこで、本発明は、以上の現状に鑑み、Ｌ型にレイアウトされたシステムキッチンに備えられてコーナー部を形成し、収納性を向上させることができるコーナーキャビネットの提供を課題とする。
【課題を解決するための手段】
【０００８】
上記課題を解決するため、本発明は次のように構成したことを特徴とする。
【０００９】
まず、請求項１に記載の発明は、直方体形状の第１、第２のユニットを平面視でＬ型に接続してシステムキッチンを形成するためのコーナーキャビネットに関するもので、上記システムキッチンのコーナー部を形成する部分と該部分から第１のユニット方向へ突出する部分とを有すると共に、該突出部分とコーナー部分とは分割されており、かつ、突出部分は該突出部分が隣接する第１のユニットの前面側へ移動可能とされ、さらに、上記コーナー部分における突出部分の側面と対接する面に、該コーナー部分内への物品の出し入れ用の開口部が設けられていることを特徴とする。
【００１０】
次に、請求項２に記載の発明は、上記請求項１に記載のコーナーキャビネットにおいて、コーナー部分は第２のユニット方向へ所定量延設されており、かつ、該延設部における上記第２のユニットの前面と平行な面に、コーナー部分内への物品の出し入れ用の補助開口部が設けられていることを特徴とする。
【００１１】
また、請求項３に記載の発明は、上記請求項１または請求項２に記載のコーナーキャビネットにおいて、突出部分は、キャスタ付きのキャビネットで構成されていると共に該キャビネットを常置可能とする固定手段を有していることを特徴とする。
【００１２】
そして、請求項４に記載の発明は、上記請求項１から請求項３のいずれかに記載のコーナーキャビネットにおいて、突出部分の下方は、前面と底面とが開口したワゴン収納空間とされていることを特徴とする。
【発明の効果】
【００１３】
まず、請求項１に記載の発明によれば、普段はコーナー部分に設けられた開口部の前方空間をホームポジションとして分割された突出部分を配設することによって、この空間を本来の収納空間として効率的に利用することができる。その上で、必要に応じて突出部分をホームポジションから該突出部分が隣接する第１のユニットの前面側へ移動させれば上記開口部が現れ、この開口部を介してコーナー部分の収納空間を利用することができる。したがって、収納性を向上させることができるコーナーキャビネットが実現される。
【００１４】
次に、請求項２に記載の発明によれば、コーナー部分には同じ向きで、つまり第２のユニットの前面と平行に開口部と補助開口部とが設けられているから、いずれかの開口部を介して物品の出し入れを行うことができる。
【００１５】
その場合、分割された突出部分の移動に関わりなく、コーナー部分に延設された延設部の補助開口部を介して物品を出し入れすることができるから、頻繁に出し入れする可能性のある物品はこの補助開口部を介して随時収納しておくことができる。一方、頻繁に出し入れする可能性の少ない物品の場合には、上記突出部分を第１のユニットの前面側へ移動させ、現れたコーナー部分の別なる開口部を介して物品を収納し、収納後は突出部分をホームポジションへ戻しておくことができる。
【００１６】
また、請求項３に記載の発明によれば、突出部分はキャスタ付きのキャビネットで構成されているから、第１のユニットの前面側への移動が容易となる。しかも、突出部分は固定手段を有しているから、常置することが容易となり、この突出部分を長期間にわたってホームポジションに配設しておく場合に好適となる。
【００１７】
そして、請求項４に記載の発明によれば、突出部分の下方はワゴンを収納可能とされているから、周辺が整頓されて快適なキッチンが実現される。
【発明を実施するための最良の形態】
【００１８】
以下、本発明の実施の形態に係るコーナーキャビネットを備えたシステムキッチンについて説明する。
【００１９】
図１に示すように、このシステムキッチン１は、それぞれ直方体形状とされて長手方向が直交する向きで配設された第１及び第２ユニット２，３と、平面視でＬ型とされて第１及び第２ユニット２，３をＬ型に接続するコーナーキャビネット４と、これらの上部に載置される天板５とを備えている。
【００２０】
コーナーキャビネット４は、システムキッチン１のコーナー部を形成する固定キャビネット１１と、該固定キャビネット１１から第１ユニット２方向つまり空間Ｓ１へ突出すると共に、この固定キャビネット１１から分割された可動キャビネット１２とを有している。そして、固定キャビネット１１は、真正のコーナー部１１ａと該コーナー部１１ａから固定キャビネット１１が隣接する第２ユニット３方向へ所定量延設された延設部１１ｂとを有している。なお、この場合、天板５は、空間Ｓ１に配設された可動キャビネット１２の上方を素通りして第１ユニット２へ至る。
【００２１】
図２及び図３に示すように、固定キャビネット１１の真正のコーナー部１１ａと延設部１１ｂとには、第２ユニット３の前面と平行な面にそれぞれ開口部１１ａ′，１１ｂ′が設けられている。その場合、開口部１１ａ′は可動キャビネット１２の側面と対接する面に設けられることになる。
【００２２】
すなわち、固定キャビネット１１は、床面まで延びる左右の側板２１，２２と該側板２１，２２間に装着された背板２３と底板２４とを有し、底面２４より上側部分が上方及び第２ユニット３の前面と平行に開口すると共に、底面２４より下側部分が下方及び第２ユニット３の前後面と平行に開口しており、上部に天板５が載置されるようになっている。
【００２３】
底板２４の前方寄りかつ中央寄りの箇所に、天板５まで延びる支持部材２５が立設されている。そして、該支持部材２５の後方上部には、左右の側板２１，２２間に梁部材２６が架け渡されている。また、上記支持部材２５近傍の梁部材２６と底板２４との間に別なる支持部材２７が立設されている。これにより、固定キャビネット１１の上部構造が堅固なものとなっている。
【００２４】
固定キャビネット１１の左右の側板２１，２２間に左右に長い棚板２８が装着されており、この固定キャビネット１１内の収納空間Ｓ２は概ね上下に区画されている。
【００２５】
前述した固定キャビネット１１の２つの開口部１１ａ′，１１ｂ′のうち、左側の比較的間口寸法を広く形成された開口部１１ａ′の左右両側に、上下に長い蓋部材２９，２９が取り付けられており、該蓋部材２９，２９の前方に、左側板２１と支持部材２５とに支持されて、上方縁部を支点に開閉自在な上下スイング式の扉３０が配設されている。その場合、図３において鎖線で示すように、上下スイング式の扉３０を開いたとき、該扉３０は第１ユニット２に干渉しないように構成されている。一方、右側の比較的間口寸法を狭く形成された開口部１１ｂ′に、右側縁部を支点に矢印ａ及び鎖線で示すように開閉自在な取っ手付き扉３１が配設されている。
【００２６】
底板２４の前方寄りかつ中央寄りの箇所に、床面まで延びる支柱３２が組み付けられている。
【００２７】
そして、固定キャビネット１１から第１ユニット２方向つまり空間Ｓ１へ突出するように、可動キャビネット１２が配設されており、該可動キャビネット１２は矢印ｂ方向に移動可能とされている。
【００２８】
図４及び図５に示すように、可動キャビネット１２は、上部に前面が開口する箱状の本体４１を有し、開口部の後方の収納空間Ｓ３に、上下方向に３個の引き出し４２，４３，４４が配設されている。これらの引き出し４２〜４４は周知の構造のもので、収納空間Ｓ３の正面視左右両側に設けられた図示しないガイドレールに、前後方向にスライド自在に支持されている。また、本体４１の前面の左右両側にそれぞれ取っ手４５，４５が取り付けられている。
【００２９】
本体４１下部の前後左右の４箇所に、下部にキャスタ４６ａ…４６ａを有すると共に床面に向かって延びる脚部材４６…４６が備えられている。また、本体４１下部の上記前方側脚部材４６，４６よりさらに前方側の左右両側に、下部に固定用ねじ４７ａ，４７ａを有すると共に床面に向かって延びて、本体４１を安定して常置するための脚部材４７，４７が設けられている。
【００３０】
本体４１の下方は、前面と底面とが開口している。つまり、本体４１の下方かつ脚部材４６…４６の内方に収納空間Ｓ４が形成されており、該収納空間Ｓ４はワゴン５１を収納する収納空間とされている。
【００３１】
ワゴン５１は、概ね左右の固定用ねじ４７ａ，４７ａを有する脚部材４７，４７間にわたる幅寸法とされると共に下部が後方へ向かって傾斜する取っ手付きの前板５２と、該前板５２の後面に取り付けられると共に下部の前後左右に４個のキャスタ５３ａ…５３ａを有する箱状の本体５３とを備えている。また、前板５２の下部後面に、この前板５２が上記脚部材４７，４７に当接したときの衝撃や騒音を緩和したり各部材４７，４７，５２の損傷を防止したりするためのクッション部材５４が貼付されている。
【００３２】
以上の構成により、図１に示すように、普段は固定キャビネット１１の左側つまり本体４１とワゴン５１とを含む可動キャビネット１２の側面と対接する面に設けられた開口部１１ａ′の前方空間Ｓ１をホームポジションとして、固定キャビネット１１から分割されると共に脚部材４６…４６，４７，４７で支持された可動キャビネット１２を固定的に配設することによって、この空間Ｓ１を本来の収納空間として効率的に利用することができる。
【００３３】
そして、図６に示すように、必要に応じて脚部材４７，４７の下部の固定用ねじ４７ａ，４７ａを操作することによって、本体４１とワゴン５１とを含む可動キャビネット１２の移動を容易とし、該可動キャビネット１２をホームポジションである空間Ｓ１から該可動キャビネット１２が隣接する第１ユニット２の前面側へ移動させれば、上記固定キャビネット１１の扉３０つまり開口部１１ａ′が現れ、この開口部１１ａ′を介して固定キャビネット１１内の収納空間Ｓ２を利用することができる。したがって、収納性を向上させることができるコーナーキャビネット４が実現される。
【００３４】
また、固定キャビネット１１には、真正のコーナー部１１ａと延設部１１ｂとに同じ向きで、つまり第２ユニット３の前面と平行に２つの開口部１１ａ′，１１ｂ′つまり２つの扉３０，３１が設けられているから、いずれかの扉３０，３１つまりいずれかの開口部１１ａ′，１１ｂ′を介して固定キャビネット１１内の収納空間Ｓ２に物品の出し入れを行うことができる。
【００３５】
その場合、図１及び図６に示したように、分割された可動キャビネット１２の移動に関わりなく、コーナー部１１ａに延設された延設部１１ｂの開口部１１ｂ′つまり扉３１を介して物品を出し入れすることができるから、頻繁に出し入れする可能性のある物品はこの扉３１つまり開口部１１ｂ′を介して随時収納しておくことができる。一方、頻繁に出し入れする可能性の少ない物品の場合には、上記可動キャビネット１２を図６に示したように第１ユニット２の前面側へ移動させ、現れたコーナー部１１ａの扉３０つまり開口部１１ａ′を介して物品を収納し、収納後は可動キャビネット１２を図１に示したようにホームポジションへ戻しておくことができる。
【００３６】
また、図４及び図５に示したように、可動キャビネット１２の本体４１とワゴン５１とはそれぞれキャスタ４６ａ…４６ａ，５３ａ…５３ａ付きとされているから、該可動キャビネット１２の前面に取り付けられた取っ手４５，４５を前方に引っ張ることにより、下方のワゴン５１も含めて第１ユニット２の前面側への移動が容易となる。しかも、可動キャビネット１２は固定用ねじ４７ａ，４７ａ付きの脚部材４７，４７を有しているから、該ねじ４７ａ，４７ａを調整することによって安定的に常置することが容易となり、この可動キャビネット１２を長期間にわたってホームポジションに配設しておく場合に好適となる。
【００３７】
そして、可動キャビネット１２の下方の収納空間Ｓ４はワゴン５１を収納可能とされているから、該ワゴン５１と収納空間Ｓ４とを活用することにより、周辺が整頓されて快適なキッチンが実現される。
【００３８】
なお、上記実施の形態では、コーナーキャビネット４は平面視でＬ型とされていたが、例えば延設部１１ｂを有さず、真正のコーナー部１１ａで構成された固定キャビネットを用いたＩ型のものでもよく、この場合にも前述した作用と同様の作用が得られる。
【００３９】
また、上記実施の形態では、固定キャビネット１１の左側開口部１１ａ′に上下スイング式の扉３０が配設されていたが、この開口部１１ａ′を広く利用可能な扉であればこれに限定されることはなく、例えばロールスクリーン式の扉等が適用可能である。また、扉３０を省略してもよい。
【産業上の利用可能性】
【００４０】
以上説明したように、本発明によれば、Ｌ型にレイアウトされたシステムキッチンに備えられてコーナー部を形成し、収納性を向上させることができるコーナーキャビネットが提供される。すなわち、本発明は、Ｌ型システムキッチンのコーナー部を形成するコーナーキャビネットに関し、システムキッチンの技術分野に広く好適である。
【図面の簡単な説明】
【００４１】
【図１】本発明の実施の形態に係るコーナーキャビネットを備えたシステムキッチンの概略斜視図である。
【図２】概ね固定キャビネットの正面図である。
【図３】同じく平面図である。
【図４】可動キャビネットの正面図である。
【図５】同じく側面図である。
【図６】本発明の作用を説明するための、可動キャビネットを移動させたときのシステムキッチンの概略斜視図である。
【図７】従来のシステムキッチンの概略斜視図である。
【符号の説明】
【００４２】
１      システムキッチン
２      第１ユニット（第１のユニット）
３      第２ユニット（第２のユニット）
４      コーナーキャビネット
１１    固定キャビネット（コーナー部分）
１１ａ′    開口部
１１ｂ      延設部
１１ｂ′    開口部（補助開口部）
１２    可動キャビネット（突出部分）
４７ａ      固定用ねじ（固定手段）
【図１】
2005176967.tif 000003
【図２】
2005176967.tif 000004
【図３】
2005176967.tif 000005
【図４】
2005176967.tif 000006
【図５】
2005176967.tif 000007
【図６】
2005176967.tif 000008
【図７】
2005176967.tif 000009